(57)【特許請求の範囲】
【請求項１】
金属板よりなるクリップ本体と、該クリップ本体の前部を挿入することにより、該クリップ本体の前部の表面及び裏面に被着される装飾体とからなる筆記具用クリップであって、前記装飾体を透明の合成樹脂により構成し、且つ、前記クリップ本体の表面側の周縁角部に面取り部を形成したことを特徴とする筆記具用クリップ。
【請求項２】
前記クリップ本体を金属板の打ち抜き加工により形成し、前記打ち抜き加工の際に生じるダレ部を、前記クリップ本体の表面側の周縁角部に形成し、前記ダレ部により前記クリップ本体の表面側の周縁角部に面取り部を形成してなる請求項１記載の筆記具用クリップ。
【請求項３】
前記打ち抜き加工の際に生じるバリ部を、前記クリップ本体の裏面側の周縁角部に形成してなる請求項２記載の筆記具用クリップ。
【請求項４】
前記装飾体を、筆記具内のインキ色を示す色に着色された有色透明の合成樹脂により構成した請求項１記載の筆記具用クリップ。
【発明の詳細な説明】
【０００１】
【発明の属する技術分野】
本発明は、筆記具用クリップに関する。詳細には、金属板よりなるクリップ本体と、該クリップ本体の前部を挿入することにより、該クリップ本体の前部の表面及び裏面に被着される装飾体とからなる筆記具用クリップに関する。尚、本発明において、「前」とはクリップの玉部側を指し、「後」とはクリップの取付基部側を指し、「表」とはクリップの非挟持側を指し、「裏」とは挟持側（玉部側）を指す。
【０００２】
【従来の技術】
従来、クリップ本体の前部を装飾体に挿入することにより、クリップ本体の前部の表面及び裏面に装飾体を被着するタイプの筆記具用クリップにおいて、金属板よりなるクリップ本体の前部を装飾体の長手方向の孔に挿入する構成（例えば、実開平１−９３４９２号公報）や、金属板よりなるクリップ本体の前部を装飾体の長手方向の溝に挿入する構成（例えば、実公昭５６−７５１３号公報）が知られている。
【０００３】
【発明が解決しようとする課題】
前記従来の筆記具用クリップは、装飾体を透明の合成樹脂により構成した場合、金属板よりなるクリップ本体の表面側の周縁角部にバリ等の突起が存在すると、クリップ本体の前部を装飾体に挿入した際に、前記バリ等の突起によって装飾体の裏面に引っ掻き傷を発生させ、装飾体の見栄えを損ねるおそれがある。
【０００４】
本発明は前記従来の問題点を解決するものであって、装飾体を透明の合成樹脂により構成した場合、装飾体にクリップ本体の前部を挿入しても、装飾体の裏面に引っ掻き傷を生じさせず、装飾体の見栄えを損ねるおそれがない筆記具用クリップを提供しようとするものである。
【０００５】
【課題を解決するための手段】
〔１〕本発明は、金属板よりなるクリップ本体２と、該クリップ本体２の前部を挿入することにより、該クリップ本体２の前部の表面及び裏面に被着される装飾体５とからなる筆記具用クリップ１であって、前記装飾体５を透明の合成樹脂により構成し、且つ、前記クリップ本体２の表面側の周縁角部に面取り部３を形成したこと（請求項１）を要件とする。
【０００６】
（作用）
クリップ本体２の表面側の周縁角部に面取り部３が形成され、バリ等の突起が存在しないため、装飾体５を透明の合成樹脂により構成しても、クリップ本体２の前部を装飾体５に挿入した際に、装飾体５の裏面に引っ掻き傷が生じず、装飾体５の見栄えを損ねるおそれがない。
【０００７】
〔２〕前記請求項１の筆記具用クリップ１において、前記面取り部３は、切削加工やバレル研磨により形成してもよいが、前記クリップ本体２を金属板の打ち抜き加工により形成し、前記打ち抜き加工の際に生じるダレ部を、前記クリップ本体２の表面側の周縁角部に形成し、前記ダレ部により前記クリップ本体２の表面側の周縁角部に面取り部３を形成してなること（請求項２）が好ましい。
【０００８】
（作用）
金属板の打ち抜き加工によりクリップ本体２の周縁部が形成されると同時に、前記打ち抜き加工の際に生じるダレ部をクリップ本体２の表面側の周縁角部に配置することにより、クリップ本体２の表面側の周縁角部に面取り部３が容易に形成される。それにより、面取り部３を形成するための別工程が不要となり、製造コストを抑えることができる。
【０００９】
〔３〕前記請求項２の筆記具用クリップ１において、前記打ち抜き加工の際に生じるバリ部４を、クリップ本体２の裏面側の周縁角部に形成してなること（請求項３）が好ましい。
【００１０】
（作用）
クリップ本体２の裏面側の周縁角部にバリ部４を形成したことにより、バリ部４が装飾体５に食いついて、クリップ本体２と装飾体５との抜け防止となる。さらに、前記バリ部４により、装飾体５に引っ掻き傷が生じたとしても、その傷は、クリップ本体２の裏面側に存在するため、装飾体５の表面側からは視認されず、装飾体５の見栄えを損ねるおそれがない。
【００１１】
〔４〕
前記請求項１の筆記具用クリップ１において、前記装飾体５は、無色透明であってもよいが、筆記具内のインキ色を示す色に着色された有色透明の合成樹脂により構成すること（請求項４）が好ましい。
【００１２】
（作用）
それにより、筆記具内のインキ色を容易に識別できると共にクリスタル調の外観を呈し、筆記具としての商品価値を高めることが可能となる。
【００１３】
【発明の実施の形態】
本発明の実施の形態について図面に従って説明する。
【００１４】
本実施例の筆記具用クリップ１は、クリップ本体２と、該クリップ本体２の前部に被着される装飾体５とからなる。図１乃至図５はクリップ本体２と装飾体５との組立状態を示し、図６は単体のクリップ本体２を示し、図７乃至図９は単体の装飾体５を示す。
【００１５】
前記クリップ本体２は、金属板（例えばステンレス鋼製板）の打ち抜き加工により得られる。前記クリップ本体２の前端部には、長手方向の切り欠き２２が設けられ、その両側に幅方向に弾性変形可能な２本の係止部２１が形成される。前記係止部２１の各々の外側面には、幅方向内方に形成される切り欠き２１ｂと、該切り欠き２１ｂの前方に形成される係止凸部２１ａとを備える。また、前記クリップ本体２の後端部は、裏面側に曲折され、キャップ（図示せず）または筆記具本体（図示せず）との取付部２３となる。
【００１６】
前記クリップ本体２は、金属板の打ち抜き加工により、表面側の周縁角部にはダレ部が形成され、裏面側の周縁角部にはバリ部４が形成される。前記ダレ部により、クリップ本体２の表面側の周縁角部には曲面状の面取り部３が形成される。
【００１７】
また、前記打ち抜き加工を容易にするため、前記クリップ本体２の幅寸法Ｗ１を、クリップ本体２の厚み寸法Ｔの５倍以上とすること、前記クリップ本体２の長手方向の切り欠き２２の幅寸法Ｗ２を、クリップ本体２の厚み寸法Ｔ以上とすること、及び前記クリップ本体２の係止部２１の切り欠き２１ｂの幅方向の深さ寸法Ｗ３を、クリップ本体２の厚み寸法Ｔ以上とすることが好ましい。
【００１８】
図７乃至図９に示すように、前記装飾体５は、インキ色を示す色に着色された有色透明の合成樹脂（例えばＡＢＳ樹脂）の射出成形体である。前記装飾体５は、主に、クリップ本体２より広い幅寸法を有する長円形状の表側壁部６と、該表側壁部６の後端部を除く側面に一体に連設される周壁部７と、該周壁部７の後部の両側に一体に連設される裏側壁部８とからなる。
【００１９】
前記表側壁部６の前端部裏面には、玉部６１が一体に突出される。本発明の筆記具用クリップ１をキャップ本体または筆記具本体に取り付けた場合、前記玉部６１と、キャップ本体外面または筆記具本体外面の間において、ポケット等の被挟持物が挟持される。
【００２０】
前記玉部６１の後方に位置する周壁部７の内面には、前記クリップ本体２の係止凸部２１ａが乗り越え可能な乗り越え凸部７１と、前記乗り越え凸部７１を前記クリップ本体２の係止凸部２１ａが乗り越えた後に落ち込み係合する係止凹部７２とが形成される。前記係止凸部２１ａと前記係止凹部７２の係合により、クリップ本体２と装飾体５との離脱が防止される。
【００２１】
前記係止凹部７２及び乗り越え凸部７１の後方に位置する周壁部７の両方の内面には、裏側壁部８が幅方向内方に向かって突出されている。前記裏側壁部８と前記表側壁部６との間には、クリップ本体２の前部が後方より挿入可能な取付孔９が形成されている。前記取付孔９により、クリップ本体２と装飾体５とのぐらつきが防止される。また、前記裏側壁部８の後端部内面には、傾斜面状（曲面状を含む）のガイド面９１が形成され、それにより、クリップ本体２のスムーズな挿入が可能となる。
【００２２】
前記クリップ本体２の係止凸部２１ａの前面は、傾斜面状（曲面状を含む）のガイド面２１ｃが形成されると共に、前記装飾体５の乗り越え凸部７１の後面には、傾斜面状（曲面状を含む）のガイド面７１ａが形成される。それにより、係止凸部２１ａと乗り越え凸部７１との円滑な乗り越えが可能となり、スムーズな挿入組立性を得る。
【００２３】
【発明の効果】
請求項１により、装飾体を透明の合成樹脂により構成した場合、装飾体にクリップ本体の前部を挿入したとしても、装飾体の裏面に引っ掻き傷を生じさせず、装飾体の見栄えを損ねるおそれがない。
【００２４】
請求項２により、面取り部を形成するための別工程が不要となり、製造コストを抑えることができる。
【００２５】
請求項３により、クリップ本体の裏面側のバリ部によってクリップ本体と装飾体との抜け防止となると共に、装飾体の見栄えも損ねるおそれがない。
【００２６】
請求項４により、筆記具内のインキ色を識別できると共にクリスタル調の外観を呈し、商品価値を高めることが可能となる。
【図面の簡単な説明】
【図１】本発明の筆記具用クリップを表面側から見た外観図である。
【図２】図１のクリップを側面から見た外観図である。
【図３】図２のＡ−Ａ線拡大断面図である。
【図４】図２のＢ−Ｂ線拡大断面図である。
【図５】図２のＣ−Ｃ線断面図である。
【図６】図１のクリップ本体の斜視図である。
【図７】図１の装飾体を裏面側から見た外観図である。
【図８】図７のＤ−Ｄ線断面図である。
【図９】図７のＥ−Ｅ線断面図である。
【符号の説明】
１  筆記具用クリップ
２  クリップ本体
３  ダレ部（面取り部）
４  バリ部
２１  係止部
２１ａ  係止凸部
２１ｂ  切り欠き
２１ｃ  ガイド面
２２  切り欠き
２３  取付部
５  装飾体
６  表側壁部
６１  玉部
７  周壁部
７１  乗り越え凸部
７１ａ  ガイド面
７２  係止凹部
８  裏側壁部
９  取付孔
９１  ガイド面
Ｗ１  クリップ本体の幅寸法
Ｗ２  切り欠き２２の幅寸法
Ｗ３  切り欠き２１ｂの幅方向の深さ寸法
Ｔ  クリップ本体の厚み寸法
【図１】
0004621365.tif 000002
【図２】
0004621365.tif 000003
【図３】
0004621365.tif 000004
【図４】
0004621365.tif 000005
【図５】
0004621365.tif 000006
【図６】
0004621365.tif 000007
【図７】
0004621365.tif 000008
【図８】
0004621365.tif 000009
【図９】
0004621365.tif 000010